(57)【要約】      （修正有）【課題】使用方法や用途がわかりやすい生理用ナプキン及び生理用ナプキンセット生理用ナプキンを提供する。【解決手段】生理用ナプキン５０は、液透過性のトップシートと、液不透過性のバックシート１３と、前記トップシート及び前記バックシート１３との間に配置された吸収体と、を有する生理用ナプキン５０であって、前記トップシートには、前記生理用ナプキン５０の交換時期をガイドする液不透過性の白色の第１ガイド文５７字が表示されている。第１ガイド文字５７は、吸収量の限界に近くなると、液不透過性のインク部分が白く浮き出ることで可視化される。【選択図】図１
0003182250.tif 000002
【実用新案登録請求の範囲】
【請求項１】
液透過性のトップシートと、液不透過性のバックシートと、前記トップシート及び前記バックシートとの間に配置された吸収体と、を有する生理用ナプキンであって、
前記トップシートには、前記生理用ナプキンの交換時期をガイドする液不透過性の白色の第１ガイド文字が表示されていること、
を特徴とする生理用ナプキン。
【請求項２】
前記トップシートには、さらに、前記生理用ナプキンの装着方向をガイドする第２ガイド文字が表示されていること、
を特徴とする請求項１に記載の生理用ナプキン。
【請求項３】
前記トップシートには、さらに、前記生理用ナプキンの装着位置をガイドする第３ガイド文字が表示されていること、
を特徴とする請求項１または２に記載の生理用ナプキン。
【請求項４】
請求項１から３のいずれか１項に記載の生理用ナプキンを複数種類含む生理用ナプキンセット。
【請求項５】
前記複数種類の前記生理用ナプキンは、それぞれ個包装され、個包装されたそれぞれのパッケージに、収納されている生理用ナプキンの種類を識別可能な識別標識が設けられていること、
を特徴とする請求項４に記載の生理用ナプキンセット。
【考案の詳細な説明】
【技術分野】
【０００１】
本考案は、生理用ナプキン及び生理用ナプキンセットに関する。
【背景技術】
【０００２】
従来、昼用や夜用、またウイングが設けられている等の種々の使い捨て生理用ナプキンが販売されている（例えば、特許文献１参照）。
【先行技術文献】
【特許文献】
【０００３】
【特許文献１】特開２００４−２９８４２２号公報
【考案の概要】
【考案が解決しようとする課題】
【０００４】
使い捨ての生理用ナプキンの種類が多いと、例えば、このような生理用ナプキンをあまり使用したことがない国の人々は、正しい使用方法（方向、向き、交換時期等）や用途がわからない場合がある。そして、誤った使用方法で生理用ナプキンを装着すると、その生理用ナプキンの本来の機能を十分に発揮することが出来ない。
【０００５】
本考案は、使用方法や用途がわかりやすい生理用ナプキン及び生理用ナプキンセットを提供することを目的とする。
【課題を解決するための手段】
【０００６】
本考案は、液透過性のトップシートと、液不透過性のバックシートと、前記トップシート及び前記バックシートとの間に配置された吸収体と、を有する生理用ナプキンであって、前記トップシートには、前記生理用ナプキンの交換時期をガイドする液不透過性の白色の第１ガイド文字が表示されていること、を特徴とす生理用ナプキンに関する。
【０００７】
前記トップシートには、さらに、前記生理用ナプキンの装着方向をガイドする第２ガイド文字が表示されていることが好ましい。
【０００８】
前記トップシートには、さらに、前記生理用ナプキンの装着位置をガイドする第３ガイド文字が表示されていることが好ましい。
【０００９】
また、本考案は、上述の生理用ナプキンを複数種類含む生理用ナプキンセットに関する。
【００１０】
前記複数種類の前記生理用ナプキンは、それぞれ個包装され、個包装されたそれぞれのパッケージに、収納されている生理用ナプキンの種類を識別可能な識別標識が設けられていることが好ましい。
【考案の効果】
【００１１】
本考案によれば、使用方法や用途がわかりやすい生理用ナプキン及び生理用ナプキンセット生理用ナプキンを提供することができる。
【図面の簡単な説明】
【００１２】
【図１】第１実施形態の生理用ナプキンを示した図であり、（ａ）は身体側面の使用前の状態、（ｂ）は身体側面の使用後の状態、（ｃ）は衣服側面である。
【図２】第２実施形態の生理用ナプキンを示した図である。
【図３】第３実施形態の生理用ナプキンを示した図である。
【図４】第４実施形態の生理用ナプキンを示した図である。
【図５】第５実施形態の生理用ナプキンを示した図であり、（ａ）は身体側面、（ｂ）は衣服側面である。
【図６】第６実施形態の生理用ナプキンセットを示した図である。
【図７】第６実施形態の生理用ナプキンセットを示した図であり、個包装された状態を示す。
【考案を実施するための形態】
【００１３】
（第１実施形態）
以下、本考案の好ましい実施形態について図面を参照しながら説明する。図１は第１実施形態に係る生理用ナプキン５０を示す図であり、図１（ａ）は身体側面の使用前の状態、図１（ｂ）は身体側面の使用後の状態、図１（ｃ）は衣服側面である。
【００１４】
本実施形態の生理用ナプキン５０は、吸収体１１と、その表側に設けられたトップシート１２と、その裏側（衣服装着側）に設けられたバックシート１３との積層体である。そしてバックシート１３のさらに裏側（衣服装着側）には、衣服に貼着するための粘着層１４が設けられ、その粘着層１４は剥離シート１５でカバーされている。
【００１５】
吸収体１１は、吸収された汗を吸収し保持する機能を有する。材料としては、たとえば、フラッフ状パルプやエアレイド不織布と高吸収性ポリマー（Ｓｕｐｅｒ  Ａｂｓｏｒｂｅｎｔ  Ｐｏｌｙｍｅｒ：ＳＡＰ）とからなる吸収体が挙げられる。また、フラッフ状パルプの代わりに、たとえば、化学パルプ、セルロース繊維、レーヨン、アセテートなどの人工セルロース繊維、ポリオレフィン、ポリエステル、ポリアミドなどの合成繊維（複合繊維も含む）を用いた繊維ネットワーク吸収体、ポリウレタン等のフォーム材を用いた発泡吸収体などを用いても良い。
【００１６】
トップシート１２は、吸収体１１と略相似形の、汗を透過する液透過性シートであり、透液性を有する各種の繊維不織布、たとえば、エアスルー繊維不織布、スパンボンド不織布、ＳＭＳ（スパンボンド−メルトブロン−スパンボンド）不織布等を用いることができる。
【００１７】
バックシート１３は、吸収体１１と略相似形の、汗を透過しない液不透過性シートであり、吸収された汗が外に漏れないようにするために設けられている。なお、このバックシート１３は液体が不透過であるが、通気性を有することが好ましい。
【００１８】
バックシート１３の材料としては、吸収された汗を透過しない材料であれば、とくに限定されない。たとえば、防水処理を施した不織布、ポリエチレンなどから構成されるプラスチックフィルム、不織布とプラスチックフィルムとの複合材料などをバックシート１３に用いることができる。また、水蒸気がバックシート１３を通って発散することによって着用時の蒸れを防止するために、バックシート１３に通気性フィルムを使用してもよい。
【００１９】
粘着層１４は、生理用ナプキン５０の裏面の、バックシート１３の衣服側面に設けられている。粘着層１４は、貼着可能な粘着力を有するものであれば特に限定されないが、例えば、衣服に合わせて伸縮可能なゴム系のホットメルトが好ましい。
【００２０】
剥離シート１５は、粘着層１４に対して剥離可能に付着するものであれば特に限定されない。剥離シート１５は、バックシート１３の衣服側面を覆っている。
【００２１】
また、本実施形態の生理用ナプキン５０は、長手方向のやや前側（装着時に身体の前側に装着すべき側）よりの幅方向両側に一対のウイング部１６が設けられている。
【００２２】
ここで、使用者が、使い捨ての生理用ナプキン３０の使用に慣れていない場合、生理用ナプキン５０の交換時期がわからず、限界吸収量を超えたにも関わらず、長時間使用する場合がある。
第１実施形態によると、使用前の生理用ナプキン５０の衣服側面には何も表示されていないが、経血が吸収されて吸収量の限界に近くなると、「Ｃｈａｎｇｅ」というガイド文字５７が表示される。
【００２３】
このガイド文字５７は、水分を吸収しない液不液透過性のインクによって、トップシートの表側に、経血が吸収される部分にかかるようにして白い文字で描かれている。そのため、生理用ナプキン５０が使用前の状態では図１（ａ）に示すように文字は見えないが、使用により周囲に経血が吸収されると、白い文字が浮き出て、「Ｃｈａｎｇｅ」というガイド文字５７が見えるようになる。
【００２４】
本実施形態によると、このように使用前の生理用ナプキン５０の衣類側面には何も表示されていないが、経血が吸収されて吸収量の限界に近くなると、「Ｃｈａｎｇｅ」というガイド文字５７が表示されるので、生理用ナプキン５０の適切な交換時期を知ることができ、漏れ等の可能性が低減され、快適な使用が可能となる。
【００２５】
（第２実施形態）
図２は、本考案の第２実施形態の生理用ナプキン１０を示した図である。
第２実施形態が第１実施形態と異なる点は、第２実施形態の生理用ナプキン１０の身体側面に、前側と後側とを示す「Ｆｒｏｎｔ」，「Ｂａｃｋ」というガイド文字１７が記載されている点である。その他の構成は第１実施形態と同様であるのでその説明は省略する。
生理用ナプキン１０は、ウイング部１６の位置や吸収体１１の配置等によって、身体の前側に装着すべき側（前側）と、身体の後側に装着すべき側（後側）と、が区別されている。したがって着用時には、生理用ナプキン１０の前側と後側とを、身体の前後に合わせて装着するのが好ましい。
しかし、第１実施形態と同様に、使用者が、使い捨ての生理用ナプキン３０の使用に慣れていない場合、生理用ナプキン１０の前側と後側は、形状的に区別しにくい場合がある。このため、使用者が、このような使い捨ての生理用ナプキン１０の使用に慣れていない場合、前後を間違えて装着する可能性がある。
【００２６】
そこで、第２実施形態の生理用ナプキン１０は、その身体側面に、前側と後側とを示す「Ｆｒｏｎｔ」，「Ｂａｃｋ」というガイド文字１７を記載する。
本実施形態によると、このように、生理用ナプキン１０の身体側面に、前側と後側とを示すために、「Ｆｒｏｎｔ」，「Ｂａｃｋ」というガイド文字１７が記載されているので、装着時に使用者が前後を間違えて装着する可能性が低減される。特に、使い捨て生理用ナプキンをあまり使用したことがない国の人々は、正しい使用方法（生理用ナプキンの前後）がわからない場合があるが、本実施形態の生理用ナプキン１０によると、前後を間違えることがないので、生理用ナプキン１０の本来の機能を十分に発揮することができる。
【００２７】
（第３実施形態）
図３は、本考案の第３実施形態の生理用ナプキン２０を示した図である。
第３実施形態が第１実施形態と異なる点は、生理用ナプキン２０のウイング部２６に、「Ｗｉｎｇ」というガイド文字２７が描かれている点である。その他の構成は第１実施形態の生理用ナプキン１０と同様であるので、同様な部分の説明は省略する。
【００２８】
第１実施形態と同様に、使用者が、このようなウイング部２６が設けられている使い捨ての生理用ナプキン２０の使用に慣れていない場合、ウイング部２６が何であるかがわからず、ウイング部２６が設けられている方向（生理用ナプキン２０の幅方向，短手方向）を、装着の際に前後と勘違いして生理用ナプキン２０を誤った方向で装着する場合がある。
しかし、本実施形態によると、第１実施形態の効果に加え、このようにウイング部２６に、「Ｗｉｎｇ」というガイド文字２７が記載されているので、ウイング部２６が設けられている方向を前後として生理用ナプキン２０を誤って装着する可能性が低減する。
【００２９】
（第４実施形態）
図４は、本考案の第４実施形態の生理用ナプキン３０を示した図である。
第４実施形態が第１実施形態と異なる点は、生理用ナプキン３０における身体の中央に装着すべき部分に、「Ｃｅｎｔｅｒ」というガイド文字３７とともにセンターライン３８が描かれている点である。その他の構成は第１実施形態の生理用ナプキン１０と同様であるので、同様な部分の説明は省略する。
【００３０】
第１実施形態と同様に、使用者が、使い捨ての生理用ナプキン３０の使用に慣れていない場合、生理用ナプキン３０において、どの位置を身体の中心に使用する部分がどこかわからず、前寄りや後ろ寄りに生理用ナプキン３０を誤って装着する場合がある。
そこで、第４実施形態の生理用ナプキン３０においては、身体の中央の装着すべき部分に、「Ｃｅｎｔｅｒ」というガイド文字３７とともにセンターライン３８が描かれている。
本実施形態によると、第１実施形態の効果に加え、このように身体の中心に使用する部分に「Ｃｅｎｔｅｒ」というガイド文字３７が記載されているので、前後において正しい位置での装着が可能となる。
【００３１】
（第５実施形態）
図５は、本考案の第５実施形態の生理用ナプキン４０を示した図であり、図５（ａ）は身体側面、（ｂ）は衣服側面である。
第５実施形態が第１実施形態と異なる点は、生理用ナプキン４０における身体側に装着すべき面（身体側面）に「Ｂｏｄｙ  ｓｉｄｅ」と表示し、衣類側に装着すべき面に（衣服側面）に「Ｃｌｏｔｈ  ｓｉｄｅ」と表示している点である。その他の構成は第１実施形態の生理用ナプキン１０と同様であるので、同様な部分の説明は省略する。
【００３２】
第１実施形態と同様に、使用者が、使い捨ての生理用ナプキン４０の使用に慣れていない場合、生理用ナプキン４０の表裏がわからず、表裏を誤って装着する場合がある。
そこで、第４実施形態の生理用ナプキン４０は、身体側面に「Ｂｏｄｙ  ｓｉｄｅ」というガイド文字４７を記載し、衣服側面に「Ｃｌｏｔｈ  ｓｉｄｅ」というガイド文字４７を記載する。
本実施形態によると、第１実施形態の効果に加え、このように身体側面に「Ｂｏｄｙ  ｓｉｄｅ」というガイド文字４７が記載され、衣服側面に「Ｃｌｏｔｈ  ｓｉｄｅ」というガイド文字４７が記載されているので、装着時に使用者が表裏を間違えて装着する可能性が低減される。
【００３３】
（第６実施形態）
図６は、本考案の第６実施形態の生理用ナプキンセット６０を示した図である。
第６実施形態においては、４種類の生理用ナプキン６０Ａ，６０Ｂ，６０Ｃ，６０Ｄがセットになっている。図７はそれらの４種類の生理用ナプキン６０Ａ，６０Ｂ，６０Ｃ，６０Ｄをそれぞれ個包装した個包装体６１Ａ，６１Ｂ，６１Ｃ，６１Ｄを示した図である。この４種類の個包装体６１Ａ，６１Ｂ，６１Ｃ，６１Ｄは、一つのパッケージに収納されて販売される。
【００３４】
４種類の生理用ナプキン６０Ａ，６０Ｂ，６０Ｃ，６０Ｄは、第１実施形態と同様に、それぞれその身体側面に、前側と後側とを示す「Ｆｒｏｎｔ」，「Ｂａｃｋ」というガイド文字６７が記載されている。
【００３５】
また、４種類の生理用ナプキン６０Ａ，６０Ｂ，６０Ｃ，６０Ｄのうちの生理用ナプキン６０Ａは、ノーマルな大きさの生理用ナプキン６０Ａであり、日中用の使用に適している。このため、中央部に「Ｄａｙ  ｔｙｐｅ」というガイド文字６８Ａが記載されている。
【００３６】
生理用ナプキン６０Ｂは、生理用ナプキン６０Ａに比べて小型且つ薄く、またウイング部も設けられておらず、月経の開始時期や終了時期の経血が少量である場合の使用に適している。このため、中央部に「Ｌｉｇｈｔ」というガイド文字６８Ｂが記載されている。
【００３７】
生理用ナプキン６０Ｃは、生理用ナプキン６０Ａに比べてやや大型で厚く、頻繁な交換が出来ない夜間用の生理用ナプキンである。このため、中央部に「Ｎｉｇｈｔ  ｔｙｐｅ」というガイド文字６８Ｃが記載されている。
【００３８】
生理用ナプキン６０Ｄは、生理用ナプキン６０Ｃよりもさらに大型で厚く、頻繁な交換が出来ない夜間用であって、さらに経血量が覆い場合用の生理用ナプキンである。このため、中央部に「Ｎｉｇｈｔ  ｔｙｐｅ（Ｈｅａｖｙ）」というガイド文字６８Ｄが記載されている。
【００３９】
また、図７に示すように、４種類の生理用ナプキン６０Ａ，６０Ｂ，６０Ｃ，６０Ｄをそれぞれ個包装した個包装体６１Ａ，６１Ｂ，６１Ｃ，６１Ｄは、個包装の端部に、外部より中身が確認できる識別表示６９Ａ，６９Ｂ，６９Ｃ，６９Ｄが印刷されたシール６９ａ，６９ｂ，６９ｂ，６９ｂで止められている。
生理用ナプキン６０Ａは、「Ｄａｙ  ｔｙｐｅ」であるので、個包装体６１Ａの識別表示６９Ａは、お日様の絵である。
生理用ナプキン６０Ｂは、「Ｌｉｇｈｔ」であるので、個包装体６１Ｂの識別表示６９Ｂは、識別表示６９Ａよりも小さいお日様の絵である。
生理用ナプキン６０Ｃは、「Ｎｉｇｈｔ  ｔｙｐｅ」であるので、個包装体６１Ｃの識別表示６９Ｃは、お月様の絵である。
生理用ナプキン６０Ｄは、「Ｎｉｇｈｔ  ｔｙｐｅ（Ｈｅａｖｙ）」であるので、個包装体６１Ｄの識別表示６９Ｄは、識別表示６９Ｃよりも大きいお月様の絵である。
【００４０】
本実施形態によると、１つのパッケージに、種類の異なる複数の生理用ナプキン６０Ａ，６０Ｂ，６０Ｃ，６０Ｄがセットとして収納されているので、この１つのパッケージを購入することで、種々の生理用ナプキン６０Ａ，６０Ｂ，６０Ｃ，６０Ｄを試すことができる。
【００４１】
また、パッケージに収納されている生理用ナプキン６０Ａ，６０Ｂ，６０Ｃ，６０Ｄは、個包装体６１Ａ，６１Ｂ，６１Ｃ，６１Ｄの状態でも内部に収納されている生理用ナプキン６０Ａ，６０Ｂ，６０Ｃ，６０Ｄの種類がわかる識別表示６９Ａ，６９Ｂ，６９Ｃ，６９Ｄが印刷されたシール６９ａ，６９ｂ，６９ｃ，６９ｄが貼られている。したがって、個包装体６１Ａ，６１Ｂ，６１Ｃ，６１Ｄを開封することなく、内部の生理用ナプキン６０Ａ，６０Ｂ，６０Ｃ，６０Ｄを確認することができる。
【００４２】
また、パッケージに収納されている生理用ナプキン６０Ａ，６０Ｂ，６０Ｃ，６０Ｄは、それぞれ、用途に応じたガイド文字６７，６８Ａ，６８Ｂ，６８Ｃ，６８Ｄが描かれているので、使用方法（前後）や使用に適する時期等を間違えることがないので、生理用ナプキン６０Ａ，６０Ｂ，６０Ｃ，６０Ｄの本来の機能を十分に発揮することができる。
【符号の説明】
【００４３】
１０，２０，３０，４０，５０，６０Ａ，６０Ｂ，６０Ｃ，６０Ｄ…生理用ナプキン
１１…吸収体
１２…トップシート
１３…バックシート
１６，２６…ウイング部
１７，２７，３７，４７，５７，６７，６８Ａ，６８Ｂ，６８Ｃ，７８Ｄ…ガイド文字
３８…センターライン
６０…生理用ナプキンセット
６１Ａ，６１Ｂ，６１Ｃ，６１Ｄ…個包装体
６９ａ，６９ｂ，６９ｂ，６９ｂ…シール
６９Ａ，６９Ｂ，６９Ｃ，６９Ｄ…識別表示
【図１】
0003182250.tif 000003
【図２】
0003182250.tif 000004
【図３】
0003182250.tif 000005
【図４】
0003182250.tif 000006
【図５】
0003182250.tif 000007
【図６】
0003182250.tif 000008
【図７】
0003182250.tif 000009